(57)【要約】      （修正有）【課題】住居の住居者が外出するために外側から入口扉の電子錠を施錠し、その後の解錠が入口扉の内側から行われるといった異常な解錠がなされた場合に、住居の住居者に通知する施解錠管理装置および制御プログラムを提供する。【解決手段】電子錠ユニット２０は、電子錠装置を施解錠する認証情報が格納された携帯端末から認証情報を受信する受信部と、認証情報に基づいて電子錠装置を施解錠する施解錠部と、電子錠装置が設けられた扉の第１の側から送信された認証情報を受信部が受信して電子錠装置を施解錠部が施錠した後に、認証情報を第１の側から受信部が受信することなく電子錠装置を解錠する解錠指示または解錠操作が行われたことを検知した場合に、携帯端末６０（スマートフォン）へ異常を通知する通知部とを備える。【選択図】図１
2017138926.tif 000002
【特許請求の範囲】
【請求項１】
電子錠装置を施解錠する認証情報が格納された携帯端末から前記認証情報を受信する受信部と、
前記認証情報に基づいて前記電子錠装置を施解錠する施解錠部と、
前記電子錠装置が設けられた扉の第１の側から送信された前記認証情報を前記受信部が受信して前記電子錠装置を前記施解錠部が施錠した後に、前記認証情報を前記第１の側から前記受信部が受信することなく前記電子錠装置を解錠する解錠指示または解錠操作が行われたことを検知した場合に、前記携帯端末へ異常を通知する通知部と
を備える施解錠管理装置。
【請求項２】
前記通知部が前記異常を通知する通知先携帯端末を登録する登録部を更に備え、
前記受信部は、複数の前記携帯端末から前記認証情報を受信し、
前記受信部が、複数の前記携帯端末のいずれかから前記認証情報を受信した場合であっても、前記施解錠部は、前記電子錠装置を施解錠し、
前記通知部は、前記異常が検知された場合に、前記通知先携帯端末へ前記異常を通知する請求項１に記載の施解錠管理装置。
【請求項３】
前記受信部は、複数の前記携帯端末から前記認証情報を受信し、
前記受信部が、複数の前記携帯端末のいずれかから前記認証情報を受信した場合であっても、前記施解錠部は、前記電子錠装置を施解錠し、
前記通知部は、前記異常が検知された場合に、前記施錠を行うときに前記認証情報を送信した前記携帯端末へ前記異常を通知する請求項１に記載の施解錠管理装置。
【請求項４】
前記通知部は、前記解錠指示または前記解錠操作が行われた時刻を前記携帯端末へ更に通知する請求項１から３のいずれか１項に記載の施解錠管理装置。
【請求項５】
前記携帯端末から前記異常の通知に対応する対応指示を受け付ける受付部を備え、
前記通知部は、前記対応指示に基づいて前記携帯端末とは異なる外部機器へ前記異常を通知する請求項１から４のいずれか１項に記載の施解錠管理装置。
【請求項６】
電子錠装置を施錠するために格納部に格納された認証情報を送信する送信ステップと、
前記電子錠装置が設けられた扉のうち前記送信ステップにより前記認証情報が送信された側から前記認証情報が送信されることなく前記電子錠装置を解錠する解錠指示または解錠操作が行われた場合に、異常の通知を受信する受信ステップと
を携帯端末に実行させる制御プログラム。
【請求項７】
前記認証情報が格納された他の携帯端末により前記電子錠装置の解錠が行われた場合には、前記受信ステップを実行しない請求項６に記載の制御プログラム。
【請求項８】
前記受信ステップは、前記解錠指示または前記解錠操作が行われた時刻を更に受信する請求項６または７に記載の制御プログラム。
【請求項９】
前記受信ステップで前記異常の通知を受信した場合に、使用者から前記異常の通知に対応する対応指示を受け付ける受付ステップと、
前記対応指示に基づいて外部機器へ前記異常を通知する通知ステップと
を携帯端末に更に実行させる請求項７または８に記載の制御プログラム。
【発明の詳細な説明】
【技術分野】
【０００１】
本発明は、施解錠管理装置および制御プログラムに関する。
【背景技術】
【０００２】
同じ電子鍵を用いて管理区域に２回連続して入ること、または、同じ電子鍵を用いて管理区域から２回連続して出るといった矛盾が発生したときにアンチパスバックの発生と判断し、アンチパスバックが発生したことをシステム管理者に連絡する電子錠を用いた入退室管理システムが知られている。（例えば、特許文献１参照）。
【先行技術文献】
【特許文献】
【０００３】
【特許文献１】特開２００７−２４７１４１
【発明の概要】
【発明が解決しようとする課題】
【０００４】
しかしながら、上記入退室管理システムは、住居の住居者が外出するために外側から入口扉の電子錠を施錠し、その後の解錠が入口扉の内側から行われるといった異常な解錠がなされた場合に、住居の住居者に通知するものではない。このような異常な解錠は、住居に侵入した不審者による解錠である蓋然性が高く、住居者はこのような状況に対処するために、当該異常解錠がなされようとしていること、および異常解錠がなされたことを迅速に知りたい、という要請があった。
【課題を解決するための手段】
【０００５】
本発明の第１の態様における施解錠管理装置は、電子錠装置を施解錠する認証情報が格納された携帯端末から前記認証情報を受信する受信部と、前記認証情報に基づいて前記電子錠装置を施解錠する施解錠部と、前記電子錠装置が設けられた扉の第１の側から送信された前記認証情報を前記受信部が受信して前記電子錠装置を前記施解錠部が施錠した後に、前記認証情報を前記第１の側から前記受信部が受信することなく前記電子錠装置を解錠する解錠指示または解錠操作が行われたことを検知した場合に、前記携帯端末へ異常を通知する通知部とを備える。
【０００６】
本発明の第２の態様における制御プログラムは、電子錠装置を施錠するために格納部に格納された認証情報を送信する送信ステップと、前記電子錠装置が設けられた扉のうち前記送信ステップにより前記認証情報が送信された側から前記認証情報が送信されることなく前記電子錠装置を解錠する解錠指示または解錠操作が行われた場合に、異常の通知を受信する受信ステップと、を携帯端末に実行させる。
【０００７】
なお、上記の発明の概要は、本発明の特徴の全てを列挙したものではない。また、これらの特徴群のサブコンビネーションもまた、発明となりうる。
【図面の簡単な説明】
【０００８】
【図１】住居１５に設けられた施解錠管理システム１０の概略図である。
【図２】扉装置３０を説明するＡ部拡大断面図である。
【図３】施解錠管理システム１０の機能ブロック図である。
【図４】電子錠データベース５０の一例を示す。
【図５】履歴データベース５２の一例を示す。
【図６】解錠するために認証情報および施錠するための認証情報の一例を示す。
【図７】異常を通知する表示画面の一例を示す。
【図８】異常解錠を検知して異常を通知する処理を説明するフロー図である。
【図９】電子錠データベース５１を示す。
【図１０】異常を通知する表示画面の他の例を示す。
【図１１】他の電子錠データベース１５０を示す。
【図１２】他の履歴データベース１５２を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、住居１５に設けられた施解錠管理システム１０の概略図である。施解錠管理システム１０は、電子錠ユニット２０と、住居１５の住居者１２によって所有されるスマートフォン６０とから構成される。なお、スマートフォン６０は、携帯端末の一例である。また、住居者１２は、スマートフォン６０の使用者でもある。
【００１１】
電子錠ユニット２０は、主要な構成要素として、施解錠管理装置２２と、第１受信ユニット２４と、第２受信ユニット２６と、扉装置３０とを備える。施解錠管理装置２２は、例えば、パーソナルコンピュータ等を利用したサーバであり、第１受信ユニット２４、第２受信ユニット２６および扉装置３０を統括的に管理する。第１受信ユニット２４および第２受信ユニット２６は、スマートフォン６０から短距離無線通信により扉装置３０に設けられた電子錠を施解錠するための認証情報を受信する。本実施形態において、スマートフォン６０は、第１受信ユニット２４および第２受信ユニット２６へ、例えば、Ｂｌｕｅｔｏｏｔｈ（登録商標）の短距離無線通信規格に準拠して認証情報を送信する。なお、以後の説明において、解錠するための認証情報を解錠情報と称し、施錠するための認証情報を施錠情報と称する場合がある。
【００１２】
第１受信ユニット２４は、住居１５の外側１６に設けられている。外側１６は、例えば、マンションにおいては、廊下等の共用空間である。第１受信ユニット２４は、住居１５の外側１６にいる住居者１２が操作するスマートフォン６０から認証情報を受信する。本実施形態において、外側１６のスマートフォン６０から第１受信ユニット２４へ認証情報を送信することを、扉装置３０に対して第１の側から認証情報を送信する、と定義する。
【００１３】
第２受信ユニット２６は、住居１５の内側１７に設けられている。内側１７は、例えばマンションにおいては、個人宅となる専用空間である。第２受信ユニット２６は、住居１５の内側１７にいる住居者１２が操作するスマートフォン６０から認証情報を受信する。本実施形態において、内側１７のスマートフォン６０から第２受信ユニット２６へ認証情報を送信することを、扉装置３０に対して第２の側から認証情報を送信する、と定義する。
【００１４】
扉装置３０は、住居１５の入口に設けられている。図２は、扉装置３０を説明するＡ部拡大断面図である。扉装置３０は、扉本体３２と、シリンダー錠３４と、サムターン３６と、デッドボルト３８と、施解錠ユニット４０と、光学センサ４２とを有する。シリンダー錠３４は、当該シリンダー錠３４の錠穴と１対１で対応したディンプルキーが挿入されることによって、回転可能となる。シリンダー錠３４は、錠穴にディンプルキーが挿入された状態で、例えば、外側１６から扉装置３０を見て反時計周りに回転されることによって、デッドボルト３８を突出させる。また、シリンダー錠３４は、当該ディンプルキーが鍵穴に挿入された状態で、例えば、外側１６から扉装置３０を見て時計周りに回転されることによって、デッドボルト３８を退避させる。
【００１５】
サムターン３６は、扉本体３２の住居１５の内側に突出して設けられる。サムターン３６は、例えば、内側１７から扉装置３０を見て時計周りに回転されることで、シリンダー錠３４を時計周りに回転させ、デッドボルト３８を突出させる。また、サムターン３６は、内側１７から扉装置３０見て反時計周りに回転されることで、シリンダー錠３４を反時計周りに回転させ、デッドボルト３８を退避させる。
【００１６】
デッドボルト３８は、扉本体３２を施錠するための金属製のボルトである。デッドボルト３８が突出されることによって、扉本体３２は開閉不可に施錠される。また、デッドボルト３８が退避することによって、扉本体３２は解錠されて開閉可能となる。
【００１７】
施解錠ユニット４０は、施解錠管理装置２２と接続されて、扉本体３２の内部に設けられている。施解錠ユニット４０は、例えば、モータ等の駆動装置を含み、施解錠管理装置２２からの信号に応じて、駆動装置を駆動して、デッドボルト３８を突出および退避させる。例えば、施解錠管理装置２２から施錠信号を受信すると、施解錠ユニット４０は、駆動装置を駆動させてデッドボルト３８を突出させる。また、施解錠管理装置２２から解錠信号を受信すると、施解錠ユニット４０は、駆動装置を駆動させて、デッドボルト３８を退避させる。なお、駆動装置を用いてデッドボルト３８を突出および退避させると、サムターン３６およびシリンダー錠３４もデッドボルト３８の突出動作および退避動作に連動して回動される。すなわち、扉装置３０においては、施解錠ユニット４０に施錠信号を送信することによって扉本体３２を施錠できるとともに、ディンプルキーのような物理鍵によっても扉本体３２を施錠できる。
【００１８】
光学センサ４２は、施解錠管理装置２２と接続され、サムターン３６に近接して設けられる。光学センサ４２は、サムターン３６に対向する面に設けられた発光素子および受光素子を含み、サムターン３６の回転位置を検知する。光学センサ４２は、例えば、発光素子から予め定められた強度の光をサムターン３６に向けて発光させ、サムターン３６から反射された反射光の受光量を受光素子にて検出することによって、サムターン３６の回転位置を検知する。
【００１９】
施解錠管理装置２２は、光学センサ４２の出力により、扉装置３０が施錠状態か解錠状態かを確認することができる。ここでは、施錠状態と解錠状態とでサムターン３６の回転位置が異なることを利用して、光学センサ４２でその回転位置を検出する方式を採用するが、施解錠状態を検出する方式はこれに限らない。デッドボルト３８の突出と退避を検出したり、シリンダー錠３４の位相を検出したりするように、光学センサ４２を扉本体３２の内部に埋め込まれた施解錠ユニット４０に組み込んでも施解錠状態を検出できる。また、検出するためのセンサも光学センサに限らず、磁気センサを用いても良いし、外力によって変位する機械式スイッチを用いても良い。
【００２０】
また、既存の錠に対して後付けにより施解錠管理装置２２を設置する場合には、既に扉本体３２に設けられている既存の錠としてのシリンダー錠３４、サムターン３６、デッドボルト３８に対して作用する外付けユニットをサムターン３６に被せるように設置する。外付けユニットは、施解錠ユニット４０と光学センサ４２を含む。例えば、施解錠ユニット４０は、内蔵する駆動装置を駆動させてサムターン３６を施錠位置と解錠位置に回転させる。この場合に、サムターン３６の位置検出は、上述の通り光学センサでなく機械スイッチなどでも良い。
【００２１】
再び、図１を参照する。スマートフォン６０には、施解錠管理システム１０で用いられる制御アプリケーションプログラム（以後、制御アプリと称する場合がある）がインストールされている。また、スマートフォン６０には、扉装置３０を施解錠するための暗号化された電子鍵ＩＤが記録されている。
【００２２】
まず、住居者１２の解錠動作について説明する。住居者１２は、住居１５から内側１７から外側１６に移動する場合に、制御アプリの処理に従って、電子鍵ＩＤを含む解錠情報をスマートフォン６０から第２受信ユニット２６へ送信する。なお、外出する際の解錠情報の送信は簡易であってよく、スマートフォン６０を第２受信ユニット２６にかざすことで、第２受信ユニット２６に解錠情報を送信できてよい。
【００２３】
第２受信ユニット２６は、第２の側から解錠情報を受信すると、施解錠管理装置２２へ解錠情報を送信する。施解錠管理装置２２は、解錠情報に含まれる電子鍵ＩＤが予め施解錠管理装置２２に登録されている電子鍵ＩＤと一致する場合に、解錠情報を承認して扉装置３０を解錠する。このとき、施解錠管理装置２２は、扉装置３０の第２の側から送信された解錠情報を受信したことを、第２受信ユニット２６が解錠情報を受信したとして記録する。
【００２４】
次に、住居者１２の外出時における施錠動作について説明する。住居者１２は、制御アプリの処理に従って、電子鍵ＩＤを含む施錠情報をスマートフォン６０から第１受信ユニット２４へ送信する。第１受信ユニット２４は、第１の側から送信された施錠情報を受信すると、施解錠管理装置２２へ施錠情報を送信する。施解錠管理装置２２は、施錠情報に含まれる電子鍵ＩＤが予め施解錠管理装置２２に登録されている電子鍵ＩＤと一致する場合に、施錠情報を承認して、扉装置３０を施錠する。このとき、施解錠管理装置２２は、扉装置３０の第１の側から送信された施錠情報を受信したことを、第１受信ユニット２４が施錠情報を受信したとして記録する。
【００２５】
次に、住居者１２の帰宅時における解錠動作について説明する。住居者１２は、住居１５に入室する前に、制御アプリの処理に従って、解錠情報を第１受信ユニット２４へ送信する。第１受信ユニット２４は、第１の側から解錠情報を受信すると、施解錠管理装置２２へ解錠情報を送信する。施解錠管理装置２２は、解錠情報を承認した場合に扉装置３０を解錠する。施解錠管理装置２２は、扉装置３０の第１の側から送信された解錠情報を受信したとして、第１受信ユニット２４が解錠情報を受信したことを記録する。
【００２６】
住居者１２は、住居１５に入室した場合に、制御アプリの処理に従って、施錠情報をスマートフォン６０から第２受信ユニット２６へ送信する。第２受信ユニット２６は、第２の側から施錠情報を受信すると、施解錠管理装置２２へ施錠情報を送信する。施解錠管理装置２２は、施錠情報に含まれる電子鍵ＩＤを承認した場合に扉装置３０を施錠する。施解錠管理装置２２は、扉装置３０の第２の側から送信された施錠方法を受信したとして、第２受信ユニット２６が施錠情報を受信したことを記録する。なお、入室時の施錠情報の送信は簡易であってよく、スマートフォン６０を第２受信ユニット２６にかざすことで、第２受信ユニット２６に解錠情報を送信できてよい。
【００２７】
図１において、不審者１３は、住居者１２の許可なく住居１５に侵入した者を示す。また、スマートフォン６１は、不審者１３が所有するスマートフォンである。スマートフォン６１には、暗号化された電子鍵ＩＤを自動生成する不正プログラム等によって取得した扉装置３０を施解錠できる電子錠ＩＤが記録されているとする。
【００２８】
不審者１３は、スマートフォン６１から第２受信ユニット２６へ扉装置３０を解錠するための認証情報を送信する。解錠情報を扉装置３０に対して第１の側から受信することなく、扉装置３０に対して第２の側から受信した場合に、施解錠管理装置２２は、当該認証情報を異常な解錠指示と判断する。この場合に施解錠管理装置２２は、解錠情報を承認することなく、スマートフォン６０へメールを送信して異常な解錠指示が行われたことを、外出した住居者１４に通知する。
【００２９】
また、扉装置３０を解錠させる場合であって、送信された解錠情報に含まれる電子鍵ＩＤが施解錠管理装置２２に登録されている電子鍵ＩＤと異なる場合に、施解錠管理装置２２は、当解錠情報を、第１受信ユニット２４および第２受信ユニット２６の何れが受信した場合であっても、当該解錠情報を異常な解錠指示と判断する。この場合にも、施解錠管理装置２２は、スマートフォン６０へメールを送信して異常な解錠指示が行われたことを、外出した住居者１４に通知する。
【００３０】
さらに、扉装置３０を解錠させる場合であって、シリンダー錠３４またはサムターン３６が操作されることによって、扉装置３０の解錠操作が行われた場合に、施解錠管理装置２２は、当該解錠操作を異常な解錠操作と判断する。施解錠管理装置２２は、光学センサ４２によって異常な解錠操作が行われたことを検知すると、スマートフォン６０へメールを送信して異常な解錠操作が行われたことを、外出した住居者１４に通知する。
【００３１】
このように、住居者１２が第１の側である第１受信ユニット２４から施錠したにも関わらず、第２の側である第２受信ユニット２６から解錠情報が受信された場合に、施解錠管理システム１０は、当該解錠情報を異常な解錠指示と判断し、外出している住居者１２に異常な解錠指示が行われたことを通知する。また、第１の側または第２の側に関わらず、解錠情報に含まれる電子鍵ＩＤが異なっている場合には、施解錠管理装置２２は、異常な解錠指示が行われたとして、外出した住居者１４に通知する。さらに、シリンダー錠３４およびサムターン３６の何れかによって扉装置３０が解錠された場合にも異常な解錠操作が行われたとして、外出した住居者１４へ通知する。
【００３２】
図３は、施解錠管理システム１０の機能ブロック図である。図３において図１と共通の要素には同じ参照番号を付して重複する説明を省略する。施解錠管理システム１０は、電子錠ユニット２０と、スマートフォン６０とを備える。電子錠ユニット２０は、施解錠管理装置２２と、第１受信ユニット２４と、第２受信ユニット２６と、扉装置３０とを有する。
【００３３】
施解錠管理装置２２は、制御部４４と、受信部４５と、通信部４６と、施解錠部４７と、格納部４８とを含む。制御部４４は、電子錠ユニット２０における第１受信部および第２受信部が受信した認証情報の承認、扉装置３０における施解錠制御および通信部４６による通知等を制御する。受信部４５は、第１受信ユニット２４および第２受信ユニット２６と接続されており、第１受信ユニット２４および第２受信ユニット２６から施錠情報および解錠情報を受信する。通信部４６は、異常な解錠指示が行われた場合または異常な解錠操作が行われた場合に、スマートフォン６０へメールを送信して異常な解錠指示が行われたこと、または異常な解錠操作が行われたことを外出した住居者１４に通知する。通信部４６は、スマートフォン６０へ当該異常を通知する通知部として機能する。
【００３４】
施解錠部４７は、制御部４４から送信される施錠信号および解錠信号を施解錠ユニット４０へ送信する。格納部４８は、ハードディスクドライブ等の不揮発性の記憶媒体によって構成される。格納部４８には、電子錠データベース５０と、履歴データベース５２とが格納されている。図４は、電子錠データベース５０の一例を示す。電子錠データベース５０には、電子鍵ＩＤ欄と、端末ＩＤ欄と、通知フラグ欄と、メールアドレス欄とが設けられている。
【００３５】
電子鍵ＩＤ欄には、扉装置３０に設けられた電子錠に対応した電子鍵ＩＤが記録されている。電子鍵ＩＤは、例えば、３文字の英字と５桁の数字から構成され、本実施形態においては「ＡＢＣ１２３４５」が電子鍵ＩＤとして記録されている。端末ＩＤ欄には、住居者１２が所有するスマートフォン６０を識別する端末ＩＤが記録されている。端末ＩＤは、例えば、３桁の数字から構成され、本実施形態においては「００１」が端末ＩＤとして記録されている。
【００３６】
通知フラグ欄には、フラグ「１」が記録されている。フラグ「１」は、異常な解錠指示または異常な解錠操作が行われた場合に、メールアドレス欄に記録されたメールアドレスにメールを送る設定であることを示している。
【００３７】
メールアドレス欄には、通信部４６がメールを送信するメールアドレスが記録されている。図４に示した例において、メールアドレス欄に記録されているのは、住居者１２が所有するスマートフォン６０のメールアドレスである。なお、電子錠データベース５０へのメールアドレスの登録は、スマートフォン６０から送信されたメールアドレスを制御部４４が電子錠データベースに登録する。
【００３８】
図５は、履歴データベース５２の一例を示す。履歴データベース５２には、フラグ欄と、第１受信部欄と、第２受信部欄と、時間欄とが設けられている。フラグ欄には、フラグ「０」または「１」が記録される。フラグ「１」は、解錠情報を受信したことを示しており、フラグ「０」は、施錠情報を受信したことを示している。図５に示した例において、履歴データベース５２の上段は、２０１５年４月１５日１１時５０分に、端末ＩＤ「００１」から第１受信ユニット２４が施錠情報を受信して、扉装置３０を施錠したことを示している。同様に、２０１５年４月１５日１７時０３分に第１受信ユニット２４が解錠情報を受信して扉装置３０を解錠したこと、２０１５年４月１５日１７時０６分に第２受信ユニット２６が施錠情報を受信して扉装置３０を施錠したことが記録されている。
【００３９】
そして２０１５年４月１６日７時６分に第１受信ユニット２４が施錠情報を受信して扉装置３０を施錠しており、次の２０１５年４月１６日８時１６分に、第２受信ユニット２６が解錠情報を受信している。２０１５年４月１６日８時１６分の解錠情報の第２受信ユニットへの送信は、扉装置３０に対して第１の側から施錠情報が送信された後に、解錠情報を第１の側から受信することなく、第２の側から受信している。そのため、当該解錠情報の受信を、施解錠管理装置２２の制御部４４は、異常な解錠指示と判断する。
【００４０】
再び、図３を参照する。スマートフォン６０は、制御部６２と、格納部６４と、送信部６８と、通信部７０と、表示部７２と、入力部７４とを有する。制御部６２は、認証情報の作成および送信、さらに施解錠管理システム１０で使用される制御アプリの実行等を制御する。
【００４１】
格納部６４は、ハードディスクドライブ等の不揮発性メモリによって構成される。格納部６４には、施解錠管理システム１０で使用される制御アプリと、電子鍵ＩＤ６６と、端末ＩＤ６７とが記録されている。本実施形態において、格納部６４には電子鍵ＩＤとして、例えば「ＡＢＣ１２３４５」が記録されており、端末ＩＤとして「００１」が記録されている。
【００４２】
送信部６８は、制御アプリの処理に従い、例えば、Ｂｌｕｅｔｏｏｔｈ（登録商標）の短距離無線通信規格に準拠して、格納部６４に記録されている電子鍵ＩＤおよび端末ＩＤを含む認証情報を第１受信ユニット２４または第２受信ユニット２６へ送信する送信ステップを実行する。図６（ａ）、図６（ｂ）は、施錠するための認証情報および解錠するための認証情報の一例を示す。
【００４３】
図６（ａ）は、施錠するための認証情報である施錠情報を示す。図６（ａ）に示すように、施錠情報は、電子錠ＩＤと、端末ＩＤと、フラグとから構成される。電子錠ＩＤは、格納部６４に記録されている電子鍵ＩＤ６６である「ＡＢＣ１２３４５」が記録される。端末ＩＤは、同じく格納部６４に記録されている端末ＩＤ６７である「００１」が記録される。フラグには「０」または「１」が記録される。フラグ「０」は、扉装置３０を施錠するための認証情報であることを示しており、フラグ「１」は、扉装置３０を解錠するための認証情報であることを示している。図６（ａ）は、施錠情報であるので、フラグ「０」が記録されている。
【００４４】
図６（ｂ）は、解錠するための認証情報である解錠情報を示す。図６（ｂ）に示すように、解錠情報は、施錠情報と同じ、電子錠ＩＤと、端末ＩＤと、フラグとが記録されている。施錠情報と解錠情報との相違点は、フラグ「１」が記録されている点である。図６（ｂ）は解錠情報であるので、扉装置３０を解錠するための認証情報であることを示すフラグ「１」が記録されている。
【００４５】
再び、図３を参照する。通信部７０は、異常な解錠指示または異常な解錠操作が行われた場合に、電子錠ユニット２０から異常な解錠指示および解錠操作が行われたことを通知するメールを受信する受信ステップを実行する。さらに、電子錠ユニット２０から送信されるメールは、異常な解錠指示または異常な解錠操作が行われた時刻を示す時間情報を含んでいてもよい。送信されるメールに異常な解錠指示または異常な解錠操作が行われた時刻を含めることで、当該解錠指示または解錠操作に対する緊急度を知ることができる。
【００４６】
表示部７２は、液晶パネル、有機ＥＬパネル等のフラットディスプレイパネルから構成され、スマートフォン６０によって処理される情報を表示する。入力部７４は、タッチパネルから構成され、表示部７２を覆うようにして設けられる。入力部７４は、文字列の入力や、アイコンの選択、表示画面のスクロール等の住居者によるタッチ操作を受け付けるユーザーインターフェースとして機能する。タッチパネルの駆動方式については、静電容量方式、抵抗膜方式などの何れの駆動方式であってもよい。入力部７４は、住居者のタッチ操作を受け付けて、当該操作に対応付けられた指示を示す情報を制御部６２に送信する。
【００４７】
住居者１２が外出する場合において、住居者１２は制御アプリの処理に従い、入力部７４から施錠情報を送信する指示を入力する。入力部７４は、施錠情報を送信する指示を受け付けると、制御部６２は、格納部６４に格納されている電子鍵ＩＤおよび端末ＩＤを読み出して、図６（ａ）に示した施錠情報を作成する。制御部６２は、作成した施錠情報を送信部６８から第１受信ユニット２４へ送信する。
【００４８】
第１受信ユニット２４は、施錠情報を受信すると、当該施錠情報を、受信部４５を介して制御部４４へ送信する。制御部４４は、電子錠データベース５０に記録されている電子鍵ＩＤを参照する。制御部４４は、施錠情報に含まれる電子鍵ＩＤと、電子錠データベース５０に記録されている電子錠ＩＤとが一致する場合に、施錠情報を承認する。制御部４４は、履歴データベース５２に行を追加し、フラグ欄にフラグ「０」と、第１受信ユニット２４の列に端末ＩＤ「００１」と、時間欄に第１受信ユニット２４から施錠情報を受信した時間を記録する。制御部４４は、施解錠ユニット４０を駆動させて扉装置３０を施錠させる。これにより、住居者１２は扉装置３０を施錠できる。
【００４９】
住居者１２が帰宅する場合において、住居者１２は制御アプリの処理に従い、入力部７４から解錠情報を送信する指示を入力する。入力部７４は、解錠情報を送信する指示を受け付けると、制御部６２は、格納部６４に格納されている電子鍵ＩＤおよび端末ＩＤを読み出して、図６（ｂ）に示した解錠するための認証情報を作成する。制御部６２は、作成した解錠情報を送信部６８から第１受信ユニット２４へ送信する。
【００５０】
第１受信ユニット２４は、解錠情報を受信すると、当該施錠情報を、受信部４５を介して制御部４４へ送信する。制御部４４は、電子錠データベース５０に記録されている電子鍵ＩＤを参照する。制御部４４は、施錠情報に含まれる電子鍵ＩＤと、電子錠データベース５０に記録されている電子錠ＩＤとが一致する場合に、施錠情報を承認する。また、制御部４４は、履歴データベース５２を参照して、直前の施錠情報を受信した受信部と、解錠情報を受信した受信部とが同じであるか否かを判断する。制御部４４は、施錠情報を受信した受信部と、解錠情報を受信した受信部とが同じであり、且つ、当該施錠情報が認証されている場合に、施解錠ユニット４０を駆動させて扉装置３０を解錠させる。これにより、住居者１２は扉装置３０を解錠できる。制御部４４は、履歴データベース５２に行を追加し、フラグ欄にフラグ「１」と、第１受信部に端末ＩＤ「００１」と、時間欄に第１受信ユニット２４から施錠情報を受信した時間を記録する。
【００５１】
扉装置３０が施錠されている場合において、電子錠ＩＤ「ＡＢＣ１２３４５」が記録されたスマートフォン６１を所有する不審者１３が、扉装置３０とは異なる侵入口から住居１５内に侵入したとする。不審者１３は、扉装置３０から外に出るために、第２受信ユニット２６に解錠情報を送信する。制御部４４は、履歴データベース５２を参照して、直前の施錠情報を受信した受信部が第１受信ユニット２４であり、解錠情報を受信した受信部が第２受信ユニット２６であることから、直前の施錠情報を受信した受信部と、解錠情報を受信した受信部は異なると判断する。制御部４４は、扉装置３０を解錠させることなく、電子錠データベース５０を参照して、通知フラグ「１」の行のメールアドレス欄に記録されているメールアドレスに異常な解錠指示が行われたことを通知するメールを送信する。
【００５２】
電子錠データベース５０に記録されているメールアドレスは、住居者１２のスマートフォン６０のメールアドレスである。したがって、スマートフォン６０の通信部７０は、異常な解錠指示が行われたことを通知するメールを受信する受信ステップを実行する。制御部６２は、通信部７０が当該メールを受信すると、制御アプリの処理に従って、表示部７２に警告表示を表示させる。
【００５３】
図７は、異常を通知する表示画面の一例を示す。図７に示したように、異常を通知する表示画面は、「警告」表示１１０と、「あなたの部屋で異常解錠が行われています」表示１１２と、で構成される。
【００５４】
また、同様に、第１受信ユニット２４および第２受信ユニット２６が異なる電子鍵ＩＤを含む認証情報を受信した場合においても、制御部４４は、異常な解錠指示が行われたことを通知するメールを当該メールアドレスに送信する。このように、住居者１２は、自身の部屋の扉装置３０で、異常な解錠指示が行われたことを、自身が所有するスマートフォン６０の表示部７２の表示により認知できる。
【００５５】
なお、本実施形態における施解錠管理装置２２の制御部４４およびスマートフォン６０の制御部６２は、それぞれＣＰＵ等から構成され、ＣＰＵ内に内蔵されたメモリまたは外部の格納部に記憶された制御プログラムを読み込むことによって上述した処理を実行する。また、これらの制御プログラムは、可搬メディアを介してそれぞれの装置にインストールされてもよく、インターネット等からダウンロードされて、それぞれの装置にインストールされてもよい。
【００５６】
図８は、異常な解錠指示および異常な解錠操作が行われたことを検知して異常を通知する処理を説明するフロー図である。図８に示したフロー図は、住居者１２がスマートフォン６０の制御アプリを立ち上げ、当該制御アプリの処理に従い施錠指示を入力した時点から開始する。また、電子錠ユニット２０は、施解錠管理装置２２が立ち上げられ、施解錠管理装置２２で、施解錠管理システム１０で使用されるプログラムが起動された時点で開始する。
【００５７】
スマートフォン６０の制御部６２は、ステップＳ１０２において、入力部７４からの施錠指示を受け付ける。制御部６２は、ステップＳ１０４において、格納部６４に格納されている電子鍵ＩＤ６６および端末ＩＤ６７を参照して、図６（ａ）に示した施錠するための認証情報である施錠情報を作成する。制御部６２は、作成した施錠情報を、例えば、電子錠ユニット２０の第１受信ユニット２４へ送信する。
【００５８】
電子錠ユニット２０の制御部４４は、ステップＳ２０２において、第１受信ユニット２４から送信された施錠情報を承認するかを判断する。具体的には、制御部４４は、格納部４８に格納されている電子錠データベース５０を参照して、施錠情報に含まれる電子鍵ＩＤと、電子錠データベース５０に記録されている電子鍵ＩＤとが一致する場合に、施錠情報を承認して（ステップＳ２０２：Ｙｅｓ）、処理をステップＳ２０４へ進める。一方、施錠情報に含まれる電子鍵ＩＤと、電子錠データベース５０に記録されている電子鍵ＩＤとが一致しない場合に、施錠情報を承認しないで（ステップＳ２０２：Ｎｏ）、受信した施錠情報を消去して、次の施錠情報がスマートフォン６０から送信されるまで待機する。
【００５９】
ステップＳ２０４において、制御部４４は、施解錠ユニット４０を駆動して、扉装置３０を施錠する。また、制御部４４は、履歴データベース５２に最下行を追加して、施錠を示すフラグ「０」と、施錠情報を取得した時間とを記録するとともに、施錠情報を受信した第１受信部の列に、施錠情報に含まれる端末ＩＤを記録する。
【００６０】
ステップＳ２０６において、制御部４４は、光学センサ４２によって、解錠が検出されているかを判断する。制御部４４は、光学センサ４２の受光センサの受光量を参照して、サムターン３６の回転位置が施錠されている位置にあることを確認する。制御部４４は、サムターン３６の回転位置が解錠されている位置にあると判断した場合（ステップＳ２０６：ＹＥＳ）、制御部４４は、電子錠データベース５０を参照して、通知フラグ「１」が記録されている行に記録されているメールアドレスに異常解錠が行われたことを通知するメールを送信して（ステップＳ２０８）、処理をステップＳ２１０に進める。
【００６１】
一方、制御部４４は、サムターン３６の回転位置が施錠されている位置にあると判断した場合（ステップＳ２０６：Ｎｏ）、制御部４４は、処理をステップＳ２１０に進める。制御部４４は、ステップＳ２１０において、解錠情報を受信したかを判断する。制御部４４は、第１受信ユニット２４および第２受信ユニット２６のいずれかが解錠情報を受信する受信ステップを実行した場合（ステップＳ２１０：Ｙｅｓ）、処理をステップＳ２１２に進める。一方、第１受信ユニット２４および第２受信ユニット２６のいずれもが解錠情報を受信していない場合（ステップＳ２１０：Ｎｏ）、処理をステップＳ２０６に戻し、解錠情報を受信する受信ステップが実行されるまで、ステップＳ２０６からステップＳ２１０を繰り返し実行させて待機する。
【００６２】
制御部４４は、ステップＳ２１２において、解錠情報を受信した受信部が施錠情報を受信した受信部と同じであるかを判断する。制御部４４は、履歴データベース５２を参照して、直前の施錠における端末ＩＤが第１受信部、第２受信部のいずれの列に記録されているか確認する。制御部４４は、直前の施錠における端末ＩＤが記録された列に対応した受信部と、当該解錠情報を受信した受信部とが同じである場合に、解錠情報は同じ受信部から受信したと判断し（ステップＳ２１２：Ｙｅｓ）、処理をステップＳ２１４へ進める。一方、制御部４４は、直前の施錠における電子錠ＩＤが記録された列に対応した受信部と、当該解錠情報を受信した受信部とが異なる場合に、解錠情報は異なる受信部から受信したと判断し（ステップＳ２０２：Ｎｏ）、受信した解錠情報を消去して、処理をステップＳ２０８へ戻す。
【００６３】
制御部４４は、ステップＳ２１４において、受信した解錠情報を承認するかを判断する。制御部４４は、格納部４８に格納されている電子錠データベース５０を参照して、解錠情報に含まれる電子鍵ＩＤと、電子錠データベース５０に記録されている電子鍵ＩＤとが一致する場合に解錠情報を承認して（ステップＳ２１４：Ｙｅｓ）、処理をステップＳ２１６へ進める。一方、施錠情報に含まれる電子鍵ＩＤと、電子錠データベース５０に記録されている電子鍵ＩＤとが一致しない場合に、施錠情報を承認せずに（ステップＳ２１４：Ｎｏ）、受信した施錠情報を消去して、処理をステップＳ２０８へ戻す。
【００６４】
制御部４４は、ステップＳ２１６において、施解錠ユニット４０を駆動して、扉装置３０を解錠させる。これによって、施錠されていた扉装置３０は解錠される。制御部４４は、ステップＳ２１８において、施解錠管理装置２２が終了指示を受けているかを判断する。制御部４４は、施解錠管理装置２２が終了指示を受けている場合に（ステップＳ２１８：Ｙｅｓ）、図８に示した処理を終了させ、施解錠管理装置２２を立ち下げ処理を実行する。一方、施解錠管理装置２２が終了指示を受けていない場合（ステップＳ２１８：Ｎｏ）、制御部４４は処理をステップＳ２０２に戻し、再び図８に示した処理を実行させる。
【００６５】
スマートフォン６０の制御部６２は、ステップＳ１０６において、電子錠ユニット２０から異常解錠が行われていることを通知するメールを受信しているかを判断する。制御部６２は、電子錠ユニット２０から異常な解錠指示または解錠操作が行われていることを通知するメールを受信している場合（ステップＳ１０６：Ｙｅｓ）、制御部６２は、表示部７２に図７に示した警告表示を表示させる（ステップＳ１０８）。一方、電子錠ユニット２０からメールを受信していない場合に（ステップＳ１０６：Ｎｏ）、ステップＳ１０８をスキップして、処理をステップＳ１１０へ進める。
【００６６】
制御部６２は、Ｓ１１０において、住居者１２が住居１５に帰宅して、住居者１２から解錠指示の入力を受け付けたかを判断する。制御部６２は、入力部７４が住居者１２からの解錠指示を受け付けている場合に（ステップＳ１１０：Ｙｅｓ）、制御部６２は、解錠情報を作成して、電子錠ユニット２０の第１受信ユニット２４または第２受信ユニット２６の何れかに、解錠情報を送信する（ステップＳ１１２）。
【００６７】
なお、住居者１２が住居１５に帰宅しておらず、入力部７４が住居者１２から解錠指示を受け付けていない場合に（ステップＳ１１０：Ｎｏ）、処理をステップＳ１０６に戻す。制御部６２は、ステップＳ１０６とステップＳ１０８の処理を繰り返し実行させながら、住居者１２が帰宅して、住居者１２が入力部７４から解錠指示を入力するまで待機する。
【００６８】
制御部６２は、ステップＳ１１４において、制御アプリの終了が指示されたかを判断する。制御アプリの終了が指示された場合に、制御部６２は、制御アプリを終了して、図８に示した処理を終了させる。一方、制御アプリの終了が指示されていない場合に、制御部６２は、処理をステップＳ１０２に戻し、住居者１２の施錠指示の入力を待つ。
【００６９】
以上説明したように、本実施形態に示した施解錠管理システム１０、電子錠ユニット２０およびスマートフォン６０の制御アプリは、異常な解錠指示または異常な解錠操作が行われた場合に、住居者１２に迅速に異常な解錠指示または異常な解錠操作が行われたことを通知できる。これにより、住居者１２は、例えば、警備会社、住居１５の管理会社、または警察に連絡することで、このような異常な解錠指示または解錠操作に対応できる。
【００７０】
また、以上の実施形態において、第１受信部または第２受信部とスマートフォン６０との通信をＢｌｕｅｔｏｏｔｈ（登録商標）の近距離無線通信規格に準拠して行う例を示した。しかしながら、扉装置３０とスマートフォン６０との近距離無線通信は、Ｂｌｕｅｔｏｏｔｈ（登録商標）に限られず、ＵＷＢ（Ｕｌｔｒａ  Ｗｉｄｅ  Ｂａｎｄ）、ＺｉｇＢｅｅ（登録商標）、Ｗｉ−Ｆｉ等の近距離無線通信規格に準拠して、扉装置３０とスマートフォン６０とが通信してもよく、ＭＩＦＡＲＥまたはＮＦＣにより通信してもよい。
【００７１】
また、以上の実施形態においては、携帯端末としてスマートフォン６０を用いた例を示した。しかしながら、これに限られず、スマートフォン６０に代えて、制御アプリがインストール可能なＰＤＡ、タブレット型ＰＣ等を用いてもよい。さらに、携帯端末としてカード型の電子鍵であってもよい。この場合に、カード型電子鍵には、例えば、ＬＥＤ等の点灯部を設け、電子錠ユニット２０からの異常な解錠指示または異常な解錠操作が行われたことの通知に対応して、当該点灯部が点灯するとしてもよい。
【００７２】
また、携帯端末として、カード型電子鍵とスマートフォン６０とを併用してもよい。この場合に、扉装置３０の施解錠はカード型電子鍵を用いて実行し、電子錠ユニット２０からの通知は、スマートフォン６０が受信するとしてもよい。
【００７３】
また、電子錠ユニット２０の受信部として、第１受信ユニット２４と、第２受信ユニット２６とを備える例を示したが、これに限られず、携帯端末から送信される認証情報の方向が判別できれば、１つ受信部から構成されていてもよい。例えば、受信部を扉装置３０に対して外側に離れた位置に設け、信号強度が強い場合には外側から受信したと判断し、信号強度が弱い場合には内側から受信したと判断してもよい。
【００７４】
さらに、他の実施形態について説明する。図９は、電子錠データベース５１を示す。電子錠データベース５１には、通知フラグ「０」が記録された行に、メールアドレス「□□□＠△△△ｃｏｍ」が記録されている点において電子錠データベース５０と異なる。メールアドレス「□□□＠△△△ｃｏｍ」は、住居者１２が契約している警備会社のメールアドレスである。また、フラグ「０」は、例えば、スマートフォン６０からの対応指示を受け付けたことを条件としてメールを送る設定である。
【００７５】
図１０は、異常を通知する表示画面の他の例を示す。図１０に示した表示画面には、図７に示した表示画面に対して「警備会社へ通報する」アイコン１１４が追加されて表示されている。図１０に示した例において、住居者１２は、「警備会社へ通報する」アイコン１１４をタップすることで、スマートフォン６０からの対応指示を電子錠ユニット２０へ送信できる。
【００７６】
この場合において、施解錠管理装置２２の通信部４６は、スマートフォン６０から異常の通知に対応する対応指示を受け付ける。通信部４６は、スマートフォン６０から異常の通知に対応する対応指示として、警備会社に通報する指示を受け付けると、通信部４６は、フラグ「０」が記録された行に記録されている警備会社のメールアドレスにメールを送信して、異常な解錠指示または異常な解錠操作が行われたこと通知する。なお、この場合において、通信部４６は、スマートフォン６０からの対応指示を受け付ける受付部としても機能する。
【００７７】
このように、図９および図１０に示した例においては、住居者１２からの異常な解錠指示または異常な解錠操作が行われたことに対する対応指示を受け付けて、例えば、警備会社等に、その旨を通知できる。これにより、異常な解錠指示または異常な解錠操作に対して、より迅速な対応が可能となり、例えば、不審者１３等の侵入による被害を軽減させることもできる。
【００７８】
また、図９および図１０示した例においては、スマートフォン６０からの対応指示を施解錠管理装置２２の通信部４６が受け付けて、通信部４６から警備会社に通知する例を示したが、これに限られない。住居者１２は、スマートフォン６０の通信部７０から警備会社に直接メールを送信することによって通知できてもよい。この場合に、スマートフォン６０の制御アプリは、住居者１２から異常な解錠指示または異常な解錠操作に対応する対応指示を受け付ける受付ステップと、当該指示に対応して外部機器、例えば、警備会社に備えられている端末に当該異常を通知する通知ステップとを実行する。
【００７９】
図１１は、他の電子錠データベース１５０を示す。電子錠データベース１５０には、端末ＩＤ１０２と、端末ＩＤ１０３が記録され、それぞれの端末ＩＤに対応して、通知フラグとメールアドレスが記録されている。なお、図１２において、端末ＩＤ１０１は、父親が所有するスマートフォンの端末ＩＤであり、端末ＩＤ１０２は、母親が所有するスマートフォンの端末ＩＤであり、端末ＩＤ１０３は、子供が所有するスマートフォンの端末ＩＤである。
【００８０】
また、メールアドレス「×××＠○○○ｎｅ．ｊｐ」は、父親のスマートフォンのメールアドレスであり、「□□□＠△△△．ｃｏｍ」は警備会社のメールアドレスである。「○△□＠○○○ｎｅ．ｊｐ」は母親のスマートフォンのメールアドレスである。
【００８１】
このように、図１１に示した電子錠データベース１５０は、父親と母親と子どもで構成される家族が居住する住居に対応した電子錠データベースである。なお、電子錠ＩＤは、家族で共通の電子鍵ＩＤ「ＢＣＤ１２３４５」を用いる。
【００８２】
図１１に示した例において、子供が所有するスマートフォンには、通知フラグがいずれも「０」となっている。また、メールアドレス欄には、メールアドレスが記録されていない。そのため、父親および母親が所有するスマートフォンへは、異常が通知されるが、子供が所有するスマートフォンへは、異常は通知されない。このように、端末ＩＤ１０１、１０２、１０３の何れのスマートフォンも、受信部４５に施錠信号または解錠信号を送信することで、扉装置３０の施解錠を行うことができる。一方、異常の通知については、電子錠データベース１５０に示したように、父親および母親のスマートフォンには通知するが、子供のスマートフォンには通知しないことを登録できる。本実施形態において、電子錠データベース１５０へのフラグの登録およびメールアドレスの登録は、制御部４４が行う。したがって、制御部４４は、登録部としても機能する。
【００８３】
図１２は、他の履歴データベース１５２を示す。履歴データベース１５２は、図１１に示した電子錠データベース１５０に対応し、父親、母親、および、子どもの３人の履歴が示されている。履歴データベース１５２において、子供が所有するスマートフォンから第１受信ユニット２４に施錠情報が送信され、その後、母親が所有するスマートフォンから第２受信ユニット２６に解錠情報が送信されている。この場合において、解錠情報は、施錠情報が送信された第１受信ユニット２４とは異なる第２受信部で受信されている。しかしながら、複数のスマートフォンで施解錠が行われる場合には、施錠情報が受信した第１受信ユニット２４と異なる第２受信ユニット２６が解錠情報を受信したとしても、施錠情報を送信したスマートフォンと、解錠情報を送信したスマートフォンとが異なる場合には、異常な解錠が行われた蓋然性は高くないので、施解錠管理装置２２は、異常な解錠が行われたことを通知しないとしてもよい。この場合に、スマートフォンは、施解錠管理装置２２から異常な解錠が行われたことを受信する受信ステップを実行しない。
【００８４】
このように、本実施形態に示した施錠管理システム、施錠管理装置およびスマートフォン６０の制御アプリは、複数人が居住する住居にも適応可能であって、この場合に、異なるスマートフォンから解錠情報が送信した場合には、異常な解錠が行われたと判断せずに、スマートフォンは、施解錠管理装置２２から異常な解錠が行われた通知を受信する受信ステップを実行しない。複数人が居住する場合においては、外部から施錠された後に、異なるスマートフォンを用いた他の住居者が、内部から解錠することは頻繁にある。したがって、異なるスマートフォンを用いた場合は、施解錠管理装置２２から異常な解錠が行われた通知を受信する受信ステップを実行しないとすることで、異常な解錠が行われた通知を頻繁に受信してしまうことを避けることができる。
【００８５】
また、図１１に示した電子錠データベース１５０には、異常な解錠指示または異常な解錠操作が行われたことを通知する複数の端末が記録されている。そして、これらのスマートフォンのいずれかから認証情報を受信した場合であっても、扉装置３０を施解錠でき、通信部４６は、異常な解錠指示または異常な解錠操作が行われたことを検知した場合に、これら複数のスマートフォンであって、メールアドレスおよび通知フラグ「１」を登録した通知先スマートフォンに異常の通知を通知できる。これにより、住居者１２は、異常を通知したい対象のスマートフォンを選択でき、例えば、子供のスマートフォンには異常を通知しないように設定できる。
【００８６】
さらに、例えば、複数のスマートフォンが電子錠データベース１５０に記録されている場合であって、異常を通知するスマートフォンを特に登録していない場合に、複数のスマートフォン全てに異常を通知してしまう。複数のスマートフォンの全てに異常を通知するのではなく、例えば、通信部４６は、異常が検知された場合に、施錠を行うときに認証情報を送信したスマートフォンへ異常な解錠指示または異常な解錠操作が行われたことを通知してもよい。これにより、施錠した状況を良く知る直前に施錠したスマートフォンの使用者に当該異常を通知し、他の使用者には異常を通知しなくできるので、複数のスマートフォン全てに異常を通知することを避けることができる。
【００８７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８９】
１０  施解錠管理システム、１２、１４  住居者、１３  不審者、１５  住居、１６  外側、１７  内側、２０  電子錠ユニット、２２  施解錠管理装置、２４  第１受信ユニット、２６  第２受信ユニット、３０  扉装置、３２  扉本体、３４  シリンダー錠、３６  サムターン、３８  デッドボルト、４０  施解錠ユニット、４２  光学センサ、４４、６２  制御部、４５  受信部、４６、７０  通信部、４７  施解錠部、４８、６４  格納部、５０、５１  電子錠データベース、５２、１５２  履歴データベース、６０、６１  スマートフォン、６６  電子鍵ＩＤ、６７  端末ＩＤ、６８  送信部、７２  表示部、７４  入力部、１１０、１１２  表示、１１４  アイコン
【図１】
2017138926.tif 000003
【図２】
2017138926.tif 000004
【図３】
2017138926.tif 000005
【図４】
2017138926.tif 000006
【図５】
2017138926.tif 000007
【図６】
2017138926.tif 000008
【図７】
2017138926.tif 000009
【図８】
2017138926.tif 000010
【図９】
2017138926.tif 000011
【図１０】
2017138926.tif 000012
【図１１】
2017138926.tif 000013
【図１２】
2017138926.tif 000014